(57)【特許請求の範囲】
【請求項１】
太陽電池パネルと、
前記太陽電池パネルの後面に位置し、前記太陽電池パネルと接続される配線を含む配線箱と、
異常信号が検出されたとき、前記太陽電池パネルを通して前記太陽電池パネルの前面に光を放出し, 前記配線箱に少なくとも一部が位置する光源と、
前記光源と前記太陽電池パネルとの間に位置し、前記光源を覆う透光性の蓋部を含み,
前記配線箱は、内部に収容空間を備えるケースを含み、
前記ケースは、前記太陽電池パネルの後面近くに位置する第１ケースと、前記第１ケースを覆う第２ケースを含み、
前記光源の少なくとも一部は、前記収容空間に光を照射するために前記ケースの中に位置する、太陽電池モジュール。
【請求項２】
前記太陽電池パネルと前記光源との間に位置する前記配線箱の少なくとも部分は、透光性の領域を構成する, 請求項１に記載の太陽電池モジュール。
【請求項３】
前記光源の少なくとも一部は、前記ケースの内部に位置する、請求項１に記載の太陽電池モジュール。
【請求項４】
前記配線箱は、前記配線を含み、前記ケースの内部に位置する回路部を含み、
前記光源は、前記回路部に固定される、請求項３に記載の太陽電池モジュール。
【請求項５】
前記回路部は、印刷回路基板を含み、
前記光源は、前記印刷回路基板に固定される、請求項４に記載の太陽電池モジュール。
【請求項６】
前記光源は、前記印刷回路基板において前記太陽電池パネルに向かう面に位置する、請求項５に記載の太陽電池モジュール。
【請求項７】
前記光源の位置に対応する、前記光源と前記太陽電池パネルとの間に位置する前記ケースの部分に、貫通孔が形成される、請求項３に記載の太陽電池モジュール。
【請求項８】
前記貫通孔は、透光物質で埋められる、請求項７に記載の太陽電池モジュール。
【請求項９】
前記太陽電池パネルから延びるリボンをさらに含み、
前記リボンが通過する第１開口部が前記配線箱に形成され、
前記第１開口部と前記貫通孔は、別個に形成される、請求項７に記載の太陽電池モジュール。
【請求項１０】
前記光源の位置に対応して、前記太陽電池パネルに隣接する前記配線箱の部分の少なくとも一部は、透光部分を構成する、請求項３に記載の太陽電池モジュール。
【請求項１１】
前記光源と前記太陽電池パネルとの間に位置する前記ケースの部分の一部に、前記光源の位置に対応して、貫通孔が形成され、
前記蓋部は、前記貫通孔を貫通して前記太陽電池パネルに接触する、請求項１に記載の太陽電池モジュール。
【請求項１２】
前記太陽電池パネルは、前面基板、太陽電池、後面基板、及び密封層を含み、
前記光源の位置に対応する、前記後面基板の少なくとも一部は、透光部分を含む、請求項１に記載の太陽電池モジュール。
【請求項１３】
前記後面基板の前記透光部分は、貫通孔、または透光部分を含む、請求項１２に記載の太陽電池モジュール。
【請求項１４】
前記回路部は、インバータ部材と、前記インバータ部材の状態情報を受け、前記インバータ部材及び前記光源を制御する制御部とを含み、
前記制御部は、前記インバータ部材の異常信号が検出される場合、前記光源をオン又はオフに制御する、請求項５に記載の太陽電池モジュール。
【請求項１５】
前記太陽電池パネルは、太陽電池が位置していない外郭領域を含み、
前記光源から放出された光が前記外郭領域を通して前記太陽電池パネルの前面に放出される、請求項１に記載の太陽電池モジュール。
【請求項１６】
前記光源が前記外郭領域に対応して位置する、請求項１５に記載の太陽電池モジュール。
【請求項１７】
前記太陽電池が複数の太陽電池を含み、
前記光源が、複数の隣り合う太陽電池の間に位置した前記外郭領域の部分に対応して位置する、請求項１５に記載の太陽電池モジュール。
【請求項１８】
インバータ部材から出力される交流電流の周波数（ＡＣ  Ｆｒｅｑｕｅｎｃｙ）が設定基準よりも速く変化する場合、漏洩電流が設定基準よりも高い場合、前記インバータ部材から出力される交流電流が設定基準よりも高い場合、前記インバータ部材に入力される直流電流が設定基準よりも高い場合、通信部の通信が安定していない場合、前記インバータ部材が作動しない場合、前記インバータ部材の温度が設定基準よりも高い場合、前記インバータ部材から出力される交流電圧が設定基準よりも高い又は低い場合、前記インバータ部材から出力される交流電流の周波数が設定基準よりも高い又は低い場合、前記インバータ部材に入力される直流電圧が設定基準よりも高い又は低い場合のうちの少なくとも１つに該当するとき、前記光源が光を放出する、請求項１に記載の太陽電池モジュール。
【請求項１９】
太陽電池パネル、前記太陽電池パネルの後面に位置し、前記太陽電池パネルと接続される配線を含む配線箱、及び異常信号が検出された場合、前記太陽電池パネルを通して前記太陽電池パネルの前面に光を放出する光源を含む太陽電池モジュールに使用される太陽電池モジュール用異常感知装置であって、
前記太陽電池パネルの前面で外部の光源の光信号を検出し、前記光信号を電気信号に変換する光センサと、
前記電気信号を受信して前記電気信号を制御信号に変換する制御部と、
前記制御信号に応じて異常信号を表示する表示部と、
を含み、
前記配線箱は、内部に収容空間を備えるケースを含み、
前記ケースは、前記太陽電池パネルの後面近くに位置する第１ケースと、前記第１ケースを覆う第２ケースを含み、
前記光源の少なくとも一部は前記収容空間に光を照射するために前記ケースの中に位置する、太陽電池モジュール用異常感知装置。
【請求項２０】
前記光センサは、前記光源のオン又はオフ、前記光源の点灯回数、前記光源の点灯時間間隔、前記光源から放出される光の色、及び前記光源から放出される光の強度のうちの少なくとも１つを検出する、請求項１９に記載の太陽電池モジュール用異常感知装置。
【発明の詳細な説明】
【技術分野】
【０００１】
本発明は、太陽電池モジュール、及び太陽電池モジュール用異常感知装置に係り、より詳細には、構造を改善した太陽電池モジュール、及びこれに使用可能な太陽電池モジュール用異常感知装置に関する。
【背景技術】
【０００２】
近年、石油や石炭のような既存エネルギー資源の枯渇が予想されながら、これらに代わる代替エネルギーへの関心が高まっている。その中でも、太陽電池は、太陽光エネルギーを電気エネルギーに変換させる次世代電池として脚光を浴びている。
【０００３】
このような太陽電池は、これを保護できるようにパッケージング（ｐａｃｋａｇｉｎｇ）し、配線箱（ボックス）を備えることによって太陽電池モジュールの形態で製造される。ところが、太陽電池モジュールを設置した後に太陽電池モジュールの動作状態を確認するためには、ゲートウェイ（ｇａｔｅｗａｙ）に接続した状態でウェブ（ｗｅｂ）又はアプリケーションのような別途の通信装置を用いなければならない。このように、太陽電池モジュールの動作状態を太陽電池モジュール自体で認識することが難しいため、太陽電池モジュールの管理が正しく行われないことがある。
【発明の概要】
【発明が解決しようとする課題】
【０００４】
本発明は、太陽電池モジュールの設置後に太陽電池モジュール自体で動作状態を容易に確認できる太陽電池モジュール、及びこれに使用可能な太陽電池モジュール用異常感知装置を提供しようとする。
【課題を解決するための手段】
【０００５】
本発明の実施例に係る太陽電池モジュールは、太陽電池パネルと、前記太陽電池パネルの後面に位置し、前記太陽電池パネルと接続される配線を含む配線箱と、異常信号があるとき、前記太陽電池パネルを通して前記太陽電池パネルの前面に光を放出する光源とを含む。少なくとも前記配線箱において前記太陽電池パネルと前記光源との間に位置する部分が、透光性を有する透光部からなる。
【０００６】
本発明の実施例に係る太陽電池モジュール用異常感知装置は、太陽電池パネルと、前記太陽電池パネルの後面に位置し、前記太陽電池パネルと接続される配線を含む配線箱と、異常信号があるとき、前記太陽電池パネルを通して前記太陽電池パネルの前面に光を放出する光源とを含む太陽電池モジュールに使用される太陽電池モジュール用異常感知装置であって、前記太陽電池パネルの前面で前記光源の光信号を検出し、電気信号に変換する光センサと、前記電気信号を受信して制御信号に変換する制御部と、前記制御信号に応じて異常信号を表示する表示部とを含む。
【発明の効果】
【０００７】
本実施例によれば、光源から放出されて太陽電池パネルを貫通して太陽電池パネルの前面に到達する光を、使用者又は管理者が目視で認識することによって、太陽電池モジュールの異常又は動作不良を感知することができる。または、太陽電池パネルの前面まで到達した光を感知する別途の太陽電池モジュール用異常感知装置を用いて、太陽電池モジュールの異常又は動作不良を感知することもできる。すると、太陽電池モジュールの異常信号を太陽電池モジュール自体で知ることができるため、太陽電池モジュールの異常を容易に感知し、これに必要な措置を取ることができる。これによって、太陽電池モジュールの管理をより円滑に行うことができる。
【０００８】
このとき、太陽電池モジュール用異常感知装置を使用すると、光源から放出される光のオン／オフ、光源の点灯回数、光源の点灯時間間隔、光源から放出される光の色、及び／又は光源から放出される光の強度の微細な差による太陽電池モジュールの具体的な状態を明確に知ることができる。
【図面の簡単な説明】
【０００９】
【図１】本実施例に係る太陽電池モジュールを示した概略的な斜視図である。
【図２】図１のＩＩ−ＩＩ線に沿って切断した概略的な断面図である。
【図３】図１に示した太陽電池モジュールに含まれた太陽電池パネルの分解斜視図である。
【図４】図１に示した配線箱及び太陽電池パネルの一部を概略的に示した分解斜視図である。
【図５】本発明の変形例に係る太陽電池モジュールの第１ケース部分を示した斜視図である。
【図６】図１に示した太陽電池モジュールにおける配線箱と光源の回路図の一例である。
【図７】本発明の実施例に係る太陽電池モジュールに使用可能な異常感知装置を示した斜視図である。
【図８】図７に示した異常感知装置の概略的な回路図である。
【図９】本発明の他の実施例に係る太陽電池モジュールを示した部分断面図である。
【図１０】本発明の更に他の実施例に係る太陽電池モジュールを示した部分断面図である。
【図１１】本発明の他の実施例に係る太陽電池モジュールを示した部分断面図である。
【図１２】本発明の更に他の実施例に係る太陽電池モジュールを示した部分断面図である。
【図１３】本発明の他の実施例に係る太陽電池モジュールを示した部分断面図である。
【図１４】本発明の更に他の実施例に係る太陽電池モジュールを示した概略的な断面図である。
【図１５】本発明の更に他の実施例に係る太陽電池モジュールを示した概略的な断面図である。
【図１６】本発明の更に他の実施例に係る太陽電池モジュールを示した概略的な断面図である。
【図１７】図１４ないし図１６に示された太陽電池モジュールの作動を説明するためのブロック図である。
【発明を実施するための形態】
【００１０】
以下では、添付の図面を参照して、本発明の実施例を詳細に説明する。しかし、本発明がこれらの実施例に限定されるものではなく、様々な形態に変形可能であることは勿論である。
【００１１】
図面では、本発明を明確且つ簡略に説明するために、説明と関係のない部分の図示を省略し、明細書全体において同一又は極めて類似の部分に対しては同一の図面参照符号を使用する。そして、図面では、説明をより明確にするために、厚さ、面積などを拡大又は縮小して示しており、本発明の厚さ、面積などは図面に示したものに限定されない。
【００１２】
そして、明細書全体において、ある部分が他の部分を「含む」とするとき、特に反対の記載がない限り、他の部分を排除するのではなく、他の部分をさらに含むことができる。また、層、膜、領域、板などの部分が他の部分の「上に」あるとするとき、これは、他の部分の「直上に」ある場合のみならず、それらの間に他の部分が位置する場合も含む。層、膜、領域、板などの部分が他の部分の「直上に」あるとするときは、それらの間に他の部分が位置しないことを意味する。
【００１３】
以下、図面を参照して、本発明の実施例に係る太陽電池モジュール及びこれに使用可能な太陽電池モジュール用異常感知装置を詳細に説明する。
【００１４】
図１は、本実施例に係る太陽電池モジュールを示した概略的な斜視図であり、図２は、図１のＩＩ−ＩＩ線に沿って切断した概略的な断面図である。そして、図３は、図１に示した太陽電池モジュールに含まれた太陽電池パネルの分解斜視図である。
【００１５】
図１乃至図３を参照すると、本実施例に係る太陽電池モジュール１００は、太陽電池１２を含む太陽電池パネル１０、及び太陽電池パネル１０に接続され、太陽電池パネル１０に装着される配線箱３０を含む。太陽電池モジュール１００は、太陽電池パネル１０の外郭部を固定するフレーム２０、太陽電池パネル１０とフレーム２０との間に位置し、これらを密封及び接着する接着部材などがさらに位置することができる。簡略且つ明確な図示のために、接着部材は図示しない。
【００１６】
太陽電池パネル１０は、少なくとも１つの太陽電池１２を含む。そして、太陽電池パネル１０は、太陽電池１２を包んで密封する密封層１４と、密封層１４の一面上で太陽電池１２の前面に位置する前面基板１６と、密封層１４の他面上で太陽電池１２の後面に位置する後面基板１８とを含むことができる。
【００１７】
一例として、太陽電池１２と、半導体基板（例えば、単結晶半導体基板、より具体的には、単結晶シリコンウエハ）と、半導体基板に又は半導体基板上に形成され、互いに反対の導電型を有する第１及び第２導電型領域と、これらにそれぞれ接続される第１及び第２電極とを含むことができる。ここで、第１及び第２導電型領域のうち一方はｐ型を有することができ、他方はｎ型を有することができる。そして、第１又は第２導電型領域は、半導体基板の一部にドーパントをドープして形成されるドーピング領域からなってもよく、または半導体基板上に別途に形成され、ドーパントがドープされた半導体層からなってもよい。そして、太陽電池１２が複数備えられ、太陽電池１２の第１電極とこれに隣接する太陽電池１２の第２電極とはリボン１２２などによって接続されて、複数個の太陽電池１２が一つの列をなす太陽電池ストリング（ｓｔｒｉｎｇ）を形成することができる。太陽電池ストリングは、リボン１２２などによって、太陽電池パネル１０の後面に位置した配線箱３０に接続されてもよい。太陽電池１２の構造、複数の太陽電池１２の接続構造、太陽電池パネル１０と配線箱３０との接続構造などは、公知の様々な構造が適用されてもよい。
【００１８】
このように、本実施例では、太陽電池１２としてシリコン半導体太陽電池を使用する場合を例示した。しかし、本発明がこれに限定されるものではなく、薄膜太陽電池、染料感応太陽電池、タンデム型太陽電池、化合物半導体太陽電池などの様々な構造の太陽電池を太陽電池１２として使用することができる。そして、複数個の太陽電池１２を備え、最外郭に位置した太陽電池１２と太陽電池パネル１０の縁部との間、及び隣り合う太陽電池１２の間に外郭領域ＯＡが位置する場合を例示したが、一つの太陽電池１２のみを備え、太陽電池１２と太陽電池パネル１０の縁部との間にのみ外郭領域ＯＡが位置してもよい。
【００１９】
密封層１４は、配線材１２２によって接続された太陽電池１２の前面に位置する第１密封層１４ａ、及び太陽電池１２の後面に位置する第２密封層１４ｂを含むことができる。第１密封層１４ａ及び第２密封層１４ｂは、水分と酸素が流入することを防止し、太陽電池パネル１０の各要素を化学的に結合する。第１及び第２密封層１４ａ，１４ｂは、透光性及び接着性を有する絶縁物質で構成することができる。一例として、第１密封層１４ａ及び第２密封層１４ｂには、エチレン酢酸ビニル共重合体樹脂（ＥＶＡ）、ポリビニルブチラール、ケイ素樹脂、エステル系樹脂、オレフィン系樹脂などが使用されてもよい。第１及び第２密封層１４ａ，１４ｂを用いたラミネーション工程などにより、後面基板１８、第２密封層１４ｂ、太陽電池１２、第１密封層１４ａ、前面基板１６が一体化されて太陽電池パネル１０を構成することができる。
【００２０】
前面基板１６は、第１密封層１４ａ上に位置して太陽電池パネル１０の前面を構成し、後面基板１８は、第２密封層１４ｂ上に位置して太陽電池１２の後面を構成する。前面基板１６及び後面基板１８は、それぞれ外部の衝撃、湿気、紫外線などから太陽電池１２を保護できる絶縁物質で構成することができる。そして、前面基板１６は、光が透過し得る透光性物質で構成され、後面基板１８は、透光性物質、非透光性物質、または反射物質などで構成されるシートで構成されてもよい。一例として、前面基板１６がガラス基板などで構成されてもよく、後面基板１８が、ＴＰＴ（Ｔｅｄｌａｒ／ＰＥＴ／Ｔｅｄｌａｒ）タイプを有するか、またはベースフィルム（例えば、ポリエチレンテレフタレート（ＰＥＴ））の少なくとも一面に形成されたポリフッ化ビニリデン（ｐｏｌｙ  ｖｉｎｙｌｉｄｅｎｅ  ｆｌｕｏｒｉｄｅ、ＰＶＤＦ）樹脂層を含むことができる。
【００２１】
しかし、本発明がこれに限定されるものではない。したがって、第１及び第２密封層１４ａ，１４ｂ、前面基板１６、または後面基板１８が、上述した説明以外の様々な物質を含むことができ、様々な形態を有することができる。例えば、前面基板１６又は後面基板１８が、様々な形態（例えば、基板、フィルム、シートなど）又は物質を有することができる。
【００２２】
上述したように、複数の層で構成された太陽電池パネル１０を安定的に固定するために、太陽電池パネル１０の外郭部が固定されるフレーム２０が位置することができる。図面では、太陽電池パネル１０の外郭部全体がフレーム２０に固定される場合を示しているが、本発明がこれに限定されるものではない。したがって、フレーム２０が太陽電池パネル１０の一部の縁部だけを固定するなどの様々な変形が可能である。
【００２３】
本実施例において、フレーム２０は、太陽電池パネル１０の少なくとも一部が挿入されるパネル挿入部２２、及びパネル挿入部２２から外部に向かって延びる延長部２４を含むことができる。
【００２４】
より具体的に、パネル挿入部２２は、太陽電池パネル１０の前面に位置した前面部分２２２、太陽電池パネル１０の側面に位置した側面部分２２４、太陽電池パネル１０の後面に位置した後面部分２２６が互いに連結され、その内部に太陽電池パネル１０の外郭部が位置するようにすることができる。一例として、パネル挿入部２２は、２回折り曲げられて内部に太陽電池パネル１０の縁部が位置するようにする、”逆コ”字断面形状または“Ｕ”字状を有することができる。しかし、本発明がこれに限定されるものではなく、前面部分２２２、側面部分２２４及び後面部分２２６のいずれか１つまたは一部が位置しなくてもよい。その他にも様々な変形が可能である。
【００２５】
パネル挿入部２２から後方に延びる延長部２４は、パネル挿入部２２から後方に向かって延び、側面部分２２４と平行に形成される（又は側面部分２２４と同一平面上に形成される）第１部分２４２と、第１部分２４２から折り曲げられて延びて太陽電池パネル１０の後面又は後面部分２２６と一定間隔を置いて形成される第２部分２４４とを含むことができる。第２部分２４４は、太陽電池パネル１０の後面又は後面部分２２６と平行に又は傾斜して形成されてもよい。これによって、延長部２４は、１回折り曲げられて形成されて後面部分２２６との間に空間を形成する、“└”字状または“Ｌ”字断面形状を有することができる。
【００２６】
このような延長部２４は、フレーム２０の強度を増加させ、架台、支持体または底面などに固定される部分と連結される部分であって、延長部２４には、架台、支持体、または底面との締結のための締結部材（図示せず）が締結されるホールが形成されてもよい。このように、太陽電池パネル１０と離隔した第２部分２４４に締結部材などを締結するので、締結部材を用いた太陽電池モジュール１００の設置時に太陽電池パネル１０が損傷することを防止することができる。
【００２７】
締結部材などを安定的に固定できるように、第２部分２４４は、後面部分２２６と同一又はこれより大きい面積を有するように（すなわち、同一又はさらに大きい幅を有するように）形成することができる。そして、締結部材の構造などは、公知の様々な構造を使用することができる。本発明がこれに限定されるものではなく、延長部２４がその他の様々な形状を有することができる。
【００２８】
このようなフレーム２０は、様々な方法で太陽電池パネル１０に固定することができる。一例として、太陽電池パネル１０の外郭部をなす部分を、弾性を有する部分（一例として、弾性を有するテープ）として形成し、この弾性を有する部分を用いてパネル挿入部２２内に太陽電池パネル１０を挿入することができる。しかし、本発明がこれに限定されるものではなく、フレーム２０を構成する部分を太陽電池パネル１０の外郭部で組み立てて結合するなど、様々な変形が可能である。
【００２９】
そして、太陽電池パネル１０の後面には、太陽電池パネル１０に接続される配線を含む配線箱３０を備えることができる。本実施例では、配線箱３０が従来のジャンクションボックスの少なくとも一部とインバータの少なくとも一部とを一体化した構造を有する場合を例示した。このような配線箱３０は、一体型インバータ、ジャンクションボックス一体型インバータ、バイパスダイオード一体型インバータ、一体型ジャンクションボックス、インバータ一体型ジャンクションボックスなどと命名してもよい。このような配線箱３０を、図１乃至図３と共に図４を参照してより詳細に説明する。
【００３０】
図４は、図１に示した配線箱３０及び太陽電池パネル１０の一部を概略的に示した分解斜視図である。
【００３１】
図１乃至図４を参照すると、本実施例に係る配線箱３０は、配線箱３０で異常信号があるとき、太陽電池パネル１０を通して太陽電池パネル１０の前面に光を放出する光源４０が備えられる。そして、少なくとも配線箱３０において太陽電池パネル１０と光源４０との間に位置する部分が、透光性を有する透光部ＴＡからなる。本明細書において、透光性は、透明、半透明だけでなく、不透明であっても光があるか否かを区別できる程度を全て含むものである。そして、透光性を有しないということは、光があるか否かを判別できないことを意味する。
【００３２】
より具体的に、配線箱３０は、内部に収容空間を備えるケース３１０を含み、ケース３１０の内部に位置し、太陽電池パネル１０との電気的接続のための様々な配線部を含む回路部３２０を含むことができる。本実施例において、光源４０の少なくとも一部がケース３１０の内部に位置することができる。すると、ケース３１０によって光源４０が保護された状態で位置し、光源４０を保護するための別途の構造を必要としない。また、配線箱３０において光源４０と太陽電池パネル１０との間に位置する部分に透光部ＴＡを形成することによって、光源４０から放出された光が配線箱３０及び太陽電池パネル１０を通過して太陽電池パネル１０の前面で認識され得る。すなわち、簡単な構造で、太陽電池パネル１０の前面で認識できる光を排出するように光源４０を安定的に配置することができる。
【００３３】
これとは異なり、光源４０がケース３１０の外部に位置する場合、光源４０が外部衝撃、湿気などにより容易に損傷したり、ケース３１０から分離されるなどの問題が発生することがある。また、光源４０全体がケース３１０の外部で太陽電池パネル１０と配線箱３０との間に位置する場合、光源４０の構造的安定性を確保しにくく、太陽電池モジュール１００の厚さが増加することがある。または、光源４０が太陽電池パネル１０の前面に位置する場合、雨、汚染物質、外部衝撃などにより、光源４０が容易に損傷または破損することがある。これを防止するために別途に防水、緩衝構造などを形成する場合、太陽電池モジュール１００の構造が非常に複雑になり、製造コストが増加することがある。
【００３４】
光源４０は、少なくとも一部がケース３１０の内部に位置しながら、ケース３１０に又はケース３１０の内部に固定され得る。一例として、光源４０は回路部３２０に固定されてもよい。このように光源４０が回路部３２０に固定されると、光源４０を安定的に固定することができ、回路部３２０の配線に光源４０を電気的に接続して、光源４０の駆動（すなわち、オン／オフ（ｏｎ／ｏｆｆ））のための構造を単純化することができる。特に、本実施例では、回路部３２０が回路基板３２７（一例として、印刷回路基板）を備えることができ、光源４０が回路基板３２７に固定されてもよい。これについては、より詳細に後述する。
【００３５】
しかし、本発明がこれに限定されるものではなく、光源４０は様々な位置に固定されてもよい。一例として、光源４０がケース３１０に固定されてもよく、ケース３１０と回路部３２０との間に固定されてもよく、その他の様々な変形が可能である。
【００３６】
ケース３１０は、内部収容空間を備え、回路部３２０、光源４０などを保護できる様々な構造を有することができる。本実施例では、ケース３１０が、互いに接合されて一体のケースを形成する第１ケース部分３１１及び第２ケース部分３１２を含む場合を例示した。これによって、第１ケース部分３１１と第２ケース部分３１２が分離された状態では、内部に位置する回路部３２０及び光源４０の挿抜が容易に行われるようにし、第１ケース部分３１１と第２ケース部分３１２が結合された状態では、内部に位置した回路部３２０及び光源４０を安定的に収容することができる。しかし、本発明がこれに限定されるものではなく、ケース３１０の構造は様々に変形可能である。
【００３７】
一例として、第１ケース部分３１１は、太陽電池パネル１０の後面に隣接して位置する底面を有しながら、内部収容空間を有する部分であり、第２ケース部分３１２が、内部収容空間を覆うように扁平な形状を有することができる。しかし、本発明がこれに限定されるものではない。したがって、第１ケース部分３１１が、扁平な形状を有しながら、太陽電池パネル１０の後面に隣接して位置する底面で構成され、第２ケース部分３１２が、内部収容空間を有する部分であってもよい。第１ケース部分３１１と第２ケース部分３１２は、これらの縁部を接合及び密封する接合部材３１４によって互いに結合されてもよい。このような接合部材によって、外部から不純物、汚染物質などが流入することを防止し、密封特性及び防水特性を向上させることができる。接合部材３１４には、接合及び／又は密封特性を有する様々な物質を使用することができ、一例として、シーラント（シーリング材）などを使用することができる。しかし、本発明がこれに限定されるものではない。
【００３８】
ケース３１０は、外部形状又は外郭面を維持し、内部に位置した様々な部品、物品、部材などを保護し得る、様々な物質を含むことができる。一例として、ケース３１０は、樹脂、金属、表面処理された金属（又はコーティング処理された金属）などのような様々な物質で構成することができる。ケース３１０を絶縁物質（一例として、樹脂）で形成すると、絶縁特性を向上させ、コストを低減することができる。そして、ケース３１０が金属を含む場合、構造的安定性を高め、ケース３１０を接地などに使用することができる。このとき、ケース３１０が表面処理された金属（又はコーティング処理された金属）からなる場合、内部には、伝導性を有する物質が位置し、外部には、これを包み、絶縁特性を有する物質が位置し得る。これによって、絶縁物質によって耐腐食性を向上させ、外観を向上させることができ、内部に位置する金属物質を接地構造などに応用することができる。一例として、ケース３１０は、陽極酸化（ａｎｏｄｉｚｉｎｇ）処理された金属（例えば、陽極酸化処理されたアルミニウム）からなることができる。そして、表面処理（一例として、陽極酸化処理）時にケース３１０の色相を共に調節して、外観をより一層向上させることができる。例えば、ケース３１０が黒色、褐色、銀色などの色相を有することができる。
【００３９】
このように、ケース３１０は、構成物質に応じて、透光性を有する物質で構成されたり、透光性を有しない物質で構成されてもよい。ケース３１０が透光性を有しない物質で構成される場合には、少なくとも光源４０が位置する部分に対応する第１ケース部分３１１が透光性を有しなければならない。これは、第１ケース部分３１１は、光源４０と太陽電池パネル１０との間に位置して、光源４０の光を遮断できる部分に位置するためである。これについては、回路部３２０を説明した後、透光部ＴＡを説明するときにより詳細に説明する。
【００４０】
ケース３１０の内部に位置する回路部３２０は、太陽電池１２又は太陽電池パネル１０から延びて第１開口部（又は第１貫通部）３１０ａを通過したリボン１２２が接続される端子３２１、端子３２１とインバータ部材３２５との間に位置したバイパスダイオード３２３、直流−交流インバータ３２５ａを含むインバータ部材３２５、及び端子３２１、バイパスダイオード３２３、インバータ部材３２５などが位置する回路基板３２７のうちの少なくとも１つを含むことができる。そして、回路部３２０は、回路部３２０の各構成から状態情報を受けて各構成を制御し、異常信号がある場合に光源４０の動作を制御する制御部３２９を備える。制御部３２９には、公知の様々な構成が適用され得、一例として、マイクロコントローラ（ｍｉｃｒｏ  ｃｏｎｔｒｏｌｌｅｒ  ｕｎｉｔ、ＭＣＵ）が使用されてもよい。端子３２１、バイパスダイオード３２３、インバータ部材３２５及び制御部３２９は、回路基板３２７に形成された回路パターンによって接続され得る。
【００４１】
このとき、ケース３１０の内部において回路部３２０が位置していない空間は、ポッティング部材３３０（又は絶縁物質）で充填されたり、絶縁部、絶縁ケースなどが位置したりして、配線箱３０の内部の気密性を向上させ、回路部３２０が不所望に短絡することを防止することができる。しかし、本発明がこれに限定されるものではなく、配線箱３０の内部にポッティング部材３３０、絶縁物質、絶縁部、絶縁ケースなどが位置しなくてもよい。
【００４２】
一例として、本実施例では、端子３２１、バイパスダイオード３２３、インバータ部材３２５及び制御部３２９が、回路パターン（又は回路、配線）を有する回路基板３２７上に共に形成される。これによって、端子３２１、バイパスダイオード３２３、インバータ部材３２５及び制御部３２９が回路基板３２７によって一体化されると見なすことができる。そして、回路基板３２７を覆うか又は包みながらポッティング部材３３０が位置し得、ポッティング部材３３０によってバイパスダイオード３２３、インバータ部材３２５及び制御部３２９が回路基板３２７に一体化されると見なすこともできる。また、端子３２１、バイパスダイオード３２３、インバータ部材３２５及び制御部３２９が形成された回路基板３２７は、同一のケース３１０の内部に位置することができる。これによって、端子３２１、バイパスダイオード３２３、インバータ部材３２５、制御部３２９及び回路基板３２７が同一のケース３１０によって一体化されると見なすこともできる。
【００４３】
インバータ部材３２５は、直流電流を交流電流に切り替える直流−交流インバータ３２５ａ、直流電流を交流電流に安定的に切り替えるためのキャパシタ３２５ｂ、直流−直流コンバータ３２５ｃなどを含むことができる。
【００４４】
キャパシタ３２５ｂは、バイパスダイオード３２３を通過した電流を格納して、一定の電圧の電流を直流−直流コンバータ３２５ｃに伝達する。直流−直流コンバータ３２５ｃは、キャパシタ３２５ｂから受けた電圧の電流を一定水準の他の直流電圧に変換する。直流−交流インバータ３２５ａは、直流−直流コンバータ３２５ｃから受けた直流電流又は直流電圧を交流電流又は交流電圧に変換する。このように配線箱３０で生成された交流電流又は交流電圧は、インバータ部材３２５に接続され、ケース３１０の第２開口部（又は第２貫通部）３１０ｂを通過する交流出力ケーブル３２０ａによって外部に伝達される。例えば、交流出力ケーブル３２０ａによって他の太陽電池モジュール１００と接続されるか、または電力網、電力系統などに伝達される。
【００４５】
本実施例において、直流−直流コンバータ３２５ｃは複数個備えることができる。このように、直流−直流コンバータ３２５ｃを複数個備える場合、一つの直流−直流コンバータ３２５ｃを備える場合に比べて各直流−直流コンバータ３２５ｃの厚さを減少させることができ、これによって、配線箱３０の厚さを延長部２４の高さよりも小さくすることができる。しかし、本発明がこれに限定されるものではなく、直流−直流コンバータ３２５ｃを一つ備えることも可能である。
【００４６】
直流−交流インバータ３２５ａ、キャパシタ３２５ｂ、及び直流−直流コンバータ３２５ｃには、公知の様々な構造が適用されてもよい。その他にも、フィルター部、通信部などの様々な部品が回路基板３２７上に位置することができる。
【００４７】
本実施例において、リボン１２２と接続される端子３２１及び／又はバイパスダイオード３２３が位置する配線箱３０から出力される出力ケーブルが交流出力ケーブル３２０ａで構成され、直流出力ケーブルを備えない。これは、端子３２１及び／又はバイパスダイオード３２３とインバータ部材３２５を一体化したためである。従来は、端子及びバイパスが位置するジャンクションボックスから直流電圧又は直流電流を引き出すため、（＋）出力ケーブル及び（−）出力ケーブルの２つの直流出力ケーブルが存在するようになる。
【００４８】
本実施例において、ケース３１０には、太陽電池パネル１０との接続のための構造、及び外部（例えば、他の太陽電池モジュール１００又は電力網）などとの接続のための構造が共に形成されてもよい。すなわち、ケース３１０には、リボン１２２が通過する部分で一部が除去されて形成された第１開口部３１０ａ、及び配線箱３０によって生成された交流電流（又は、交流電圧、電流電力、交流電源）を伝達する一つの交流出力ケーブル３２０ａが通過する第２開口部３１０ｂを備えることができる。すなわち、太陽電池パネル１０との接続のための第１開口部３１０ａ及び交流出力ケーブル３２０ａのための第２開口部３１０ｂが同一のケース３１０に形成される。これは、端子３２１及び／又はバイパスダイオード３２３とインバータ部材３２５を一体化したためである。
【００４９】
上述したようなケース３１０は、接着部材３１６によって太陽電池パネル１０の後面に固定され得る。また、接着部材３１６は、第１開口部３１０ａを取り囲みながら内部に閉鎖空間（ｃｌｏｓｅｄ  ｓｐａｃｅ）を備え、接着部材３１６の内部空間を外部と隔離する。これによって、外部物質、湿気、不純物などが第１開口部３１０ａを通してケース３１０の内部に流入することを防止することができる。これによって、ケース３１０の気密特性、密封特性及び防水特性を向上させることができる。
【００５０】
接着部材３１６には、優れた接着特性、密封特性などを有する様々な物質を使用することができる。一例として、接着部材３１６としてシーラント（シーリング材）などを使用することができる。しかし、本発明がこれに限定されるものではない。したがって、接着部材３１６が樹脂、金属などで形成された構造物で構成され、熱などによってケース３１０と太陽電池パネル１０を接着するなど、様々な変形が可能である。また、他の結合構造（例えば、ねじ結合、ラッチ構造、パッキング構造）によってケース３１０と太陽電池パネル１０を固定することもできる。その他の様々な変形が可能である。
【００５１】
本実施例では、端子３２１、バイパスダイオード３２３、インバータ部材３２５及び回路基板３２７を一つの配線箱３０内に共に位置させることで、設置工程を単純化し、構造を簡単にすることができる。そして、光源４０によって、様々な太陽電池モジュール１００の状態情報を表示することができる。しかし、本発明がこれに限定されるものではなく、配線箱３０は、端子３２１、バイパスダイオード３２３、インバータ部材３２５及び回路基板３２７のうちの少なくとも１つを備える全ての構成を意味し得る。例えば、配線箱３０が、太陽電池パネル１０のリボン１２２に接続される端子３２１及び／又はバイパスダイオード３２３を備えるジャンクションボックスと、インバータ部材３２５を含むインバータボックスとを別個に備えることができ、ジャンクションボックス及びインバータボックスのうちの少なくとも１つが、上述したような光源４０及び透光部ＴＡを備えることができる。及び／又は、配線箱３０がパワーオプティマイザ（ｐｏｗｅｒ  ｏｐｔｉｍｉｚｅｒ）、モジュールレベルパワーエレクトロニクス（ｍｏｄｕｌｅ  ｌｅｖｅｌ  ｐｏｗｅｒ  ｅｌｅｃｔｒｏｎｉｃｓ、ＭＬＰＥ）などを含むことができ、そのうちの少なくとも１つが、上述したように光源４０及び透光部ＴＡを備えることができる。
【００５２】
再び光源４０及び透光部ＴＡを説明する。本実施例において、光源４０は、回路基板３２７上で太陽電池パネル１０に向かう面に位置することができる。これによれば、光源４０から放出された光が短い経路で太陽電池パネル１０に到達するため、光伝達の効率を向上させることができる。また、回路基板３２７に含まれる回路パターンによって、光源４０に必要な電源、信号などを容易に供給することができる。一例として、光源４０の端子が、半田付けなどのような方法により、印刷回路基板３２７の回路配線に電気的及び物理的に接続されてもよい。このとき、光源４０を駆動するための電源として、別途に提供される電源を使用してもよく、太陽電池パネル１０で生成された電源の一部を使用してもよい。しかし、本発明がこれに限定されるものではなく、光源４０の位置は様々な変形が可能である。
【００５３】
このとき、平面上で、光源４０は、太陽電池パネル１０において太陽電池１２が位置していない部分、すなわち、太陽電池パネル１０の縁部及び隣り合う太陽電池１２の間に対応する外郭領域ＯＡに対応するように位置する。太陽電池１２が位置した部分に対応して光源４０が位置する場合、光源４０から放出された光が太陽電池１２によって遮られて前面で認識することが難しいためである。特に、光源４０は、太陽電池パネル１０でよく見えるように、隣り合う太陽電池１２の間に位置する外郭領域ＯＡに対応するように位置し得る。太陽電池パネル１０の縁部は、フレーム２０などによって少なくとも一部が遮られているため、光源４０による光を認識することが難しいためである。
【００５４】
しかし、本発明がこれに限定されるものではない。すなわち、光源４０が太陽電池１２に対応して位置しても、光源４０の光の一部が外郭領域ＯＡを通して太陽電池パネル１０の前面に到達することができれば、光源４０が太陽電池１２に対応して位置することもできる。
【００５５】
光源４０は、公知の様々な構造、方式などで光を放出することができる。一例として、光源４０は、小さい体積を有し、経済的であり、環境に優しい発光ダイオード（ｌｉｇｈｔ  ｅｍｉｔｔｉｎｇ  ｄｉｏｄｅ、ＬＥＤ）を含むことができる。
【００５６】
このとき、少なくとも光源４０と太陽電池パネル１０との間に位置する配線箱３０の部分が透光部ＴＡで構成される。一例として、本実施例では、配線箱３０のケース３１０（より具体的には、第１ケース部分３１１の底面）において、光源４０が位置した部分に対応して貫通孔３１０ｃが形成される。すると、ケース３１０が透光性を有するか否かに関係なく、貫通孔３１０ｃを通して光が透過し得る。これによって、このような貫通孔３１０ｃが透光部ＴＡを構成することができる。
【００５７】
このように、貫通孔３１０ｃを形成して透光部ＴＡを形成すると、貫通孔３１０ｃを形成する簡単な工程により透光部ＴＡを形成することができる。そして、貫通孔３１０ｃは、光を高い透過率で透過させるため、太陽電池パネル１０の前面で光源４０から放出された光を明確に認識するようにすることができる。特に、ケース３１０が不透明な場合に、貫通孔３１０ｃによって光が透過し得るようにすることができる。
【００５８】
このとき、貫通孔３１０ｃは、透光性を有する透光物質３１８（例えば、樹脂）などで埋められ、配線箱３０の気密性が低下しないようにすることができる。透光物質３１８は、流動性を有する物質を貫通孔３１０ｃを塞ぐように塗布した後、乾燥、硬化などによって固めることによって形成することができる。
【００５９】
このとき、透光物質３１８も、光源４０と太陽電池パネル１０との間に位置するため、透光物質３１８が透光部ＴＡの一部を構成するようになる。しかし、透光物質３１８は必須のものではない。したがって、ケース３１０の内部にポッティング部材３３０、絶縁部などが位置すると、貫通孔３１０ｃを別途の物質で埋めなくてもよい。または、図示のように、接着部材３１６が貫通孔３１０ｃを取り囲む閉鎖された空間を備えるように形成されると、貫通孔３１０ｃを別途の物質で埋めなくてもよい。そして、図面では、光源４０上に透光物質３１８のみが位置する場合を例示したが、光源４０上にポッティング部材３３０と透光物質３１８が共に位置するか、または透光物質３１８なしにポッティング部材３３０のみが位置してもよい。この場合には、ポッティング部材３３０も透光性を有することで、透光部ＴＡの一部を構成することができる。または、光源４０と太陽電池パネル１０との間に空き空間が位置することもでき、この場合には、空き空間も透光性を有するため、透光部ＴＡの一部を構成することができる。
【００６０】
図面において、光源４０に対応する貫通孔３１０ｃは、リボン１２２が通過する第１開口部３１０ａと異なる別個のホールである場合を例示した。これによれば、光源４０が位置する部分とリボン１２２が通過する部分とを別個の位置に位置させ、リボン１２２などによって光が太陽電池パネル１０の前面側に到達することが妨げられることを防止することができる。しかし、本発明がこれに限定されるものではなく、図５に示したように、リボン１２２が通過する第１開口部３１０ａ内に光源４０が位置できるようにして、別途の貫通孔３１０ｃを形成せず、リボン１２２が通過する第１開口部３１０ａを貫通孔３１０ｃとして使用することができる。すると、ケース３１０に貫通孔３１０ｃを形成しなくてもよいので、ケース３１０の構造を単純化することができる。また、別途に透光物質３１８を備えなくてもよい。しかし、本発明がこれに限定されるものではなく、様々な変形が可能である。
【００６１】
このように、本実施例では、光源４０が位置する部分に対応して部分的に形成された貫通孔３１０ｃが透光部ＴＡを構成する場合を例示した。これによれば、従来使用していたケース３１０（より具体的には、回路基板３２７と太陽電池パネル１０との間に位置する第１ケース部分３１１）に貫通孔３１０ｃを形成することによって、容易に透光部ＴＡを形成することができる。しかし、本発明がこれに限定されるものではない。他の実施例については、図９乃至図１３を参照してより詳細に後述する。
【００６２】
以下では、太陽電池モジュール１００または配線箱３０に異常信号があるときに光源４０が光を放出する原理を、図６を参照して詳細に説明する。図６は、図１に示した太陽電池モジュールにおける配線箱３０及び光源４０の回路図の一例である。明確且つ簡略な図示のために、図６では、端子３２１、バイパスダイオード３２３、キャパシタ３２５ｂなどの図示を省略し、光源４０の制御のための部分を中心に説明した。
【００６３】
図６を参照すると、太陽電池パネル１０で生成された直流電流、直流電圧、または直流電源がインバータ部材３２５に伝達される。インバータ部材３２５の直流−直流コンバータ３２５ｃでは、直流電流、直流電圧、または直流電源を、異なる値を有する直流電流、直流電圧、または直流電源に変換する。インバータ部材３２５の直流−交流インバータ３２５ａでは、直流−直流コンバータ３２５ｃから受けた直流電流、直流電圧、または直流電源を、交流電流、交流電圧、または交流電源に変換する。このように変換された交流電流、交流電圧、または交流電源は、交流出力ケーブル３２０ａを介して外部に伝達される。
【００６４】
このとき、制御部３２９は、インバータ部材３２５から状態情報を受け、状態情報に応じてインバータ部材３２５を制御する信号を送信してインバータ部材３２５を制御する。このとき、制御部３２９がインバータ部材３２５の異常信号（すなわち、太陽電池モジュール１００の異常信号）を発見した場合には、これに合わせてインバータ部材３２５の動作を制御しながら、光源４０に光源動作制御信号を送信して、光源４０の動作（一例として、オン／オフ）を制御する。すると、光源４０は、光を太陽電池パネル１０の前面に放出する。すると、使用者又は管理者は、太陽電池パネル１０の前面で光を認識し、インバータ部材３２５又は太陽電池パネル１０に異常があることを感知することができる。
【００６５】
光源４０は、単純にオン／オフによって、太陽電池モジュール１００（又はインバータ部材３２５）の動作が正常であるか、または異常があるかを知らせることができる。例えば、太陽電池モジュール１００が正常作動する場合には、光源４０がオフ状態を維持し、太陽電池モジュール１００に異常がある場合には、光源４０がオンされ得る。または、太陽電池モジュール１００の様々な動作異常に応じて異なる時間間隔、異なる色、または異なる強度で光を提供して、太陽電池モジュール１００のどの部分に異常があるかを具体的に知らせることもできる。
【００６６】
光源４０を用いて表示できる太陽電池モジュール１００の異常は、様々な種類があり得る。例えば、インバータ部材３２５から出力される交流電流の周波数（ＡＣ  Ｆｒｅｑｕｅｎｃｙ）が設定基準よりも速く変化する場合、漏洩電流が設定基準よりも高い場合、インバータ部材３２５から出力される交流電流が設定基準よりも高い場合、入ってくる直流電流が設定基準よりも高い場合、回路部３２０の通信部の通信が安定していない場合、インバータ部材３２５が作動しない場合、インバータ部材３２５の温度が設定基準よりも高い場合、インバータ部材３２５から出力される交流電圧が設定基準よりも高い又は低い場合、インバータ部材３２５から出力される交流電流の周波数が設定基準よりも高い又は低い場合、インバータ部材３２５に入力される直流電圧が設定基準よりも高い又は低い場合に、光源４０が光を放出することができる。その他の様々な種類の異常を、光源４０を介して表示することができる。
【００６７】
本実施例によれば、光源４０から放出されて太陽電池パネル１０を貫通して太陽電池パネル１０の前面に到達する光を、使用者又は管理者が目視で認識することによって、太陽電池モジュール１００の異常又は動作不良を感知することができる。または、太陽電池パネル１０の前面まで到達した光を感知する別途の異常感知装置（図７の参照符号２００、以下同様）を用いて、太陽電池モジュール１００の異常又は動作不良を感知することもできる。このように、本実施例では、太陽電池モジュール１００の異常信号を太陽電池モジュール１００自体で知ることができるので、太陽電池モジュール１００の異常を容易に感知し、これに必要な措置を取ることができる。これによって、太陽電池モジュール１００の管理をより円滑に行うことができる。
【００６８】
異常感知装置２００を用いると、時間間隔、色、または強度が微細に制御された光源４０の光信号を感知し、太陽電池モジュール１００の様々な異常又は動作不良のうちどのような異常又は動作不良が発生したかをより具体的に知ることができる。図１乃至図６と共に、図７及び図８を参照して、本実施例に係る太陽電池モジュール１００に使用可能な異常感知装置２００を詳細に説明する。
【００６９】
図７は、本発明の実施例に係る太陽電池モジュール１００に使用可能な異常感知装置２００を示した斜視図であり、図８は、図７に示した異常感知装置２００の概略的な回路図である。
【００７０】
図７及び図８を参照すると、本実施例に係る異常感知装置２００は、光センサ２０２、制御部２０４及び表示部２０６を含むことができる。
【００７１】
光センサ２０２は、光源４０から放出されて太陽電池パネル１０の前面まで到達した光を認識する。これによって、光センサ２０２は、光信号を受信し、これを電気信号に変換して制御部２０４に伝達する。光センサ２０２は、本体２１０の一側端部に位置し得る。すると、太陽電池パネル１０の前面側に、光センサ２０２が位置する本体２１０の一側端部を位置させることによって、正確に光信号を認識することができる。光センサ２０２としては、公知の様々な構造のセンサを適用することができる。
【００７２】
制御部２０４は、光センサ２０２から伝達された電気信号に応じて、表示部２０６に表示されるべき内容が表示されるようにする制御信号を表示部２０６に伝達する。制御部２０４は、本体２１０の内部に位置することができる。
【００７３】
表示部２０６は、本体２１０において最も広い面に位置し、異常信号を表示することができる。このとき、表示部２０６に表示される異常信号は、単に異常信号があることを知らせるものであってもよく、具体的にどのような異常信号があるかを知らせるものであってもよい。表示部２０６には、公知の様々な構成が適用されてもよく、一例として、異常信号を文字などで表示する液晶表示装置などが適用されてもよい。または、光源４０の信号を光の強度、色などで表示することもできる。
【００７４】
このように、異常感知装置２００によると、光源４０から放出される光のオン／オフ、光源４０の点灯回数、光源４０の点灯時間間隔、光源４０から放出される光の色、及び／又は光源４０から放出される光の強度の微細な差を光センサ２０２が認識することができ、これに基づいて、異常信号による表示が表示部２０６で行われるので、太陽電池モジュール１００の具体的な状態を明確に知ることができる。
【００７５】
以下、図９乃至図１３を参照して、本発明の他の実施例に係る太陽電池モジュールを詳細に説明する。上述した部分で説明したものと同一又は類似の部分については詳細な説明を省略し、異なる部分を詳細に説明する。そして、上述した実施例及びその変形例と、以下の実施例及びその変形例とは互いに結合されてもよく、これもまた本発明の範囲に属する。
【００７６】
図９は、本発明の他の実施例に係る太陽電池モジュールを示した部分断面図である。参考に、図９では、図２の拡大円に対応する部分を示した。
【００７７】
図９を参照すると、本実施例では、光源４０と太陽電池パネル１０との間に位置するケース３１０の部分が、全体的に透光性を有する物質（一例として、透明又は半透明な樹脂など）で構成される透光部分３１１ａからなることができる。透光性を有するケース３１０の少なくとも一部自体が透光部ＴＡを構成することができる。したがって、別途の貫通孔（図２の参照符号３１０ｃ）及び／又は透光物質（図２の参照符号３１８）を備えなくてもよい。このとき、図９では、第１ケース部分３１１が全体的に透光部分３１１ａで構成された場合を例示したが、本発明がこれに限定されるものではない。
【００７８】
したがって、図１０に示したように、第１ケース部分３１１において光源４０が位置する部分にのみ部分的に透光性を有する透光部分３１１ａが位置して透光部ＴＡを形成し、その他の部分は非透光部分３１１ｂからなることもできる。または、第１ケース部分３１１において太陽電池パネル１０の後面に隣接する底面が全体的に透光部分３１１ａで構成され、第１ケース部分３１１の側面部分、及び第２ケース部分３１２と隣接する部分が非透光部分３１１ｂで構成されてもよい。また、第１ケース部分３１１だけでなく、第２ケース部分３１２の少なくとも一部が透光部分を含むこともできる。すなわち、本実施例では、少なくとも太陽電池パネル１０側に位置する面において光源４０に対応する配線箱３０（より具体的には、ケース３１０）の部分が、透光性を有する透光部分３１１ａで構成されればよい。
【００７９】
図９及び図１０では、光源４０が第１ケース部分３１１の透光部分３１１ａに接して形成され、光源４０と太陽電池パネル１０との間に透光部分３１１ａのみが位置する場合を例示した。しかし、本発明がこれに限定されるものではなく、光源４０が透光部分３１１ａと離隔して形成され、光源４０と透光部分３１１ａとの間に、透光性を有するポッティング部材３３０又は空き空間などが位置することができる。この場合には、光源４０と透光部分３１１ａとの間に位置する透光性を有するポッティング部材３３０又は空き空間が、透光部ＴＡの一部を構成することができる。
【００８０】
図１１は、本発明の更に他の実施例に係る太陽電池モジュールを示した部分断面図である。参考に、図１１では、図２の拡大円に対応する部分を示した。
【００８１】
図１１を参照すると、本実施例では、光源４０と太陽電池パネル１０との間に位置して、光源４０を覆い、透光性を有する蓋部４２が位置することができる。蓋部４２は、光源４０を覆うことができるように、太陽電池パネル１０に向かって膨らんだ形状を有する透光性構造物であってもよく、一例として、透明又は半透明な樹脂などで構成されてもよい。このような蓋部４２を備えると、光源４０を覆う蓋部４２によって容易に透光部ＴＡを形成することができる。
【００８２】
一例として、蓋部４２は、第１ケース部分３１１の貫通孔３１０ｃを貫通して太陽電池パネル１０の後面基板１８に接触することができる。このとき、蓋部４２が貫通孔３１０ｃを全体的に満たすようにぴったり嵌合され得る。すると、構造的に安定して蓋部４２を固定することができ、光源４０を保護することができる。
【００８３】
しかし、本発明がこれに限定されるものではない。他の例として、第１ケース部分３１１が貫通孔３１０ｃを備えず、第１ケース部分３１１が透光部分（図９又は図１０の参照符号３１１ａ）を備え、蓋部４２がケース３１０の内部に位置することもできる。このとき、蓋部４２は、第１ケース部分３１１に接触してもよく、又は、第１ケース部分３１１との間に、透光性を有するポッティング部材３３０又は空き空間などを介在して位置してもよい。
【００８４】
図１２は、本発明の更に他の実施例に係る太陽電池モジュールを示した部分断面図である。参考に、図１２では、図２の拡大円に対応する部分を示した。
【００８５】
図１２を参照すると、本実施例では、後面基板１８が、少なくとも光源４０に対応する配線箱３０の部分に対応する部分で、透光性を有する透光部分１８ａで構成される。太陽電池パネル１０において、前面基板１６及び密封層１４は透光性を有する物質で形成される。そして、光源４０は、太陽電池１２によって遮られない外郭領域ＯＡに対応するように位置する。したがって、前面基板１６、太陽電池１２及び密封層１４は、光源４０から放出された光を遮らない。
【００８６】
後面基板１８が全体的に透光性を有する場合には、光源４０から放出された光を遮らない。一方、後面基板１８は、場合によって、反射特性を向上させるための反射シート、または外観を向上させることができる黒色又は黒色シートなどで構成されて非透光部分１８ｂを含むことができる。この場合には、光源４０による光が後面基板１８によって妨げられることがあるため、後面基板１８において、光源４０が位置する部分（すなわち、外郭領域ＯＡの一部）に対応して透光部分１８ａが位置するようにする。
【００８７】
このとき、図１２に示したように、非透光部分１８ｂを全体的に備える後面基板１８に貫通孔１８０を形成して透光部分１８ａを形成することもできる。透光部分１８ａが貫通孔からなる場合、簡単な工程により透光部分１８ａを形成することができる。
【００８８】
または、図１３に示したように、非透光部分１８ｂを全体的に備える後面基板１８に貫通孔１８０を形成した後、透光性を有する透光物質１８２（一例として、透明又は半透明な樹脂）で貫通孔１８０を埋めて透光部分１８ａを形成することができる。一例として、印刷などによって貫通孔１８０を埋めることができる。または、透光部分１８ａは、後面基板１８の製造工程で透明又は半透明な樹脂などによって、非透光部分１８ｂと共に製造されてもよい。これによれば、後面基板１８が空き部分なしに全体的に位置し、後面基板１８による効果を最大化することができる。
【００８９】
図１２及び図１３では、光源４０に対応して貫通孔３１０ｃが形成され、透光物質３１８が備えられた場合を例示した。しかし、本発明がこれに限定されるものではなく、貫通孔３１０ｃ及び／又は透光物質３１８が備えられないことも可能である。
【００９０】
本実施例によれば、光源から放出されて太陽電池パネルを貫通して太陽電池パネルの前面に到達する光を、使用者又は管理者が目視で認識することによって、太陽電池モジュールの異常又は動作不良を感知することができる。または、太陽電池パネルの前面まで到達した光を感知する別途の太陽電池モジュール用異常感知装置を用いて、太陽電池モジュールの異常又は動作不良を感知することもできる。すると、太陽電池モジュールの異常信号を太陽電池モジュール自体で知ることができるため、太陽電池モジュールの異常を容易に感知し、これに必要な措置を取ることができる。これによって、太陽電池モジュールの管理をより円滑に行うことができる。
【００９１】
このとき、太陽電池モジュール用異常感知装置を使用すると、光源から放出される光のオン／オフ、光源の点灯回数、光源の点灯時間間隔、光源から放出される光の色、及び／又は光源から放出される光の強度の微細な差による太陽電池モジュールの具体的な状態を明確に知ることができる。
【００９２】
次いで、図１４ないし図１7を参照して、本発明の更に他の実施例に係る太陽電池モジュールを説明する。
【００９３】
図１４ないし図１6は、本発明の更に他の実施例に係る太陽電池モジュールを示した概略的な断面図である。図１7は、図１４ないし図１6に示された太陽電池モジュールの作動を説明するためのブロック図である。
【００９４】
本実施例に係る太陽電池モジュールは、図１乃至図３を参照して説明した太陽電池モジュールと比較して、光受信部をさらに含むこと以外は実質的に同一である。したがって、同一の参照番号は同一の構成要素を示し、繰り返される説明は省略できる。
【００９５】
図１４ないし図１6を参照すると、本実施例に係る太陽電池モジュール１００は、太陽電池１２を含む太陽電池パネル１０、及び太陽電池パネル１０に接続され、太陽電池パネル１０に装着される配線箱３０を含む。太陽電池モジュール１００は、太陽電池パネル１０の外郭部を固定するフレーム２０、太陽電池パネル１０とフレーム２０との間に位置し、これらを密封及び接着する接着部材などがさらに位置することができる。
【００９６】
太陽電池パネル１０は、少なくとも１つの太陽電池１２を含む。 光受信部19は、配線箱30と電気的に接続されるように構成されるか、または、配線箱30に直接形成することもできる。 例えば、光受信部19は、配線箱30の光源40側に位置することができる(図１６)。
【００９７】
太陽電池パネル19は、光受信部19に入力された制御信号を介して制御することができる。つまり、光受信部19は、外部の制御部（図示せず）が含まれている光源（図示せず）からの光信号を受信することができ、受信された光信号を介して太陽電池パネル19を制御することができる。
【００９８】
すなわち、使用者は、端末などの入力装置を用いて、制御信号を利用して、光源（図示せず）から、特定の光信号を発生するようにすることができる。ここで、特定の光信号は、太陽電池パネル１０の適正電圧、電流の周波数などの系統情報やその他にアレイビルディング（ａｒｒａｙ  ｂｕｉｌｄｉｎｇ）に必要な情報であるか、またはその他の制御信号を含むことができる。
【００９９】
これらの情報および制御信号を含む、特定の光信号は、光受信部19で受信することができ、光受信部19は、受信された特定の光信号に基づいて、太陽電池パネル10を制御することができる。
【０１００】
図15を参照すると、外部からの端末などを介して情報の入力が行われると、その情報に基づいて光サンゴが前記光源からの光受信部19に渡すことができる。光信号を受信された光受信部19は、受信した光信号に応じた制御信号を受信することができる。これにより, 太陽電池パネルの出力信号などを制御することができる。
【０１０１】
上述したような特徴、構造、効果などは、本発明の少なくとも一つの実施例に含まれ、必ずしも一つの実施例にのみ限定されるものではない。さらに、各実施例で例示した特徴、構造、効果などは、実施例の属する分野における通常の知識を有する者によって、他の実施例に対しても組み合わせ又は変形して実施可能である。したがって、このような組み合わせ及び変形に係わる内容は、本発明の範囲に含まれるものと解釈されるべきである。
【図１】
0006416163.tif 000002
【図２】
0006416163.tif 000003
【図３】
0006416163.tif 000004
【図４】
0006416163.tif 000005
【図５】
0006416163.tif 000006
【図６】
0006416163.tif 000007
【図７】
0006416163.tif 000008
【図８】
0006416163.tif 000009
【図９】
0006416163.tif 000010
【図１０】
0006416163.tif 000011
【図１１】
0006416163.tif 000012
【図１２】
0006416163.tif 000013
【図１３】
0006416163.tif 000014
【図１４】
0006416163.tif 000015
【図１５】
0006416163.tif 000016
【図１６】
0006416163.tif 000017
【図１７】
0006416163.tif 000018